(57)【要約】      （修正有）【課題】折り曲げても形状が復元して戻り、機械的な衝撃に強く、アンテナ及びＩＣチップは密閉されて保存されており、水分、ガスの侵入の問題のない読み取り、書き換えが可能な荷札型情報記録媒体を提供する。【解決手段】無線により読み出し、書込みが可能な荷札型情報記録媒体である。情報を記録するＩＣチップ６と、該ＩＣチップと接続して無線を行う導電性アンテナ５を有し、該ＩＣチップとアンテナが２枚以上のプラスチックシート１の間に挟まれ、該２枚以上のプラスチックシートの周縁部は、該ＩＣチップとアンテナを密封するように袋状に融着されている。該袋状に融着されたプラスチックシートは、荷札型情報記録媒体を荷物に取り付けるための、リング状に留めることができる長尺体２を有し、該長尺体及び／又はプラスチックシートには、該長尺体をリング状に留めるための留め具３を有する。【選択図】図６
2005157780.tif 000002
【特許請求の範囲】
【請求項１】
無線により情報を読み出し、又は、読み出しと書込みが可能な荷札型情報記録媒体であって、
情報を記録するＩＣチップと、該ＩＣチップと接続して無線を行う導電性アンテナを有し、
該ＩＣチップとアンテナが２枚以上のプラスチックシートの間に挟まれ、
該２枚以上のプラスチックシートの周縁部は、該ＩＣチップとアンテナを密封するように袋状に融着されており、
該ＩＣチップとアンテナを密封した状態のプラスチックシートは折り曲げられても、復元可能な程度に柔軟な性質を有し、
該袋状に融着されたプラスチックシートは、荷札型情報記録媒体を荷物に取り付けるための、リング状に留めることができる長尺体を有し、
該長尺体及び／又はプラスチックシートには、該長尺体をリング状に留めるための留め具を有することを特徴とする荷札型情報記録媒体。
【請求項２】
前記長尺体は、前記プラスチックシートと一体に成形されている請求項１記載の荷札型情報記録媒体。
【請求項３】
前記長尺体は、袋状に融着された２枚上のプラスチックシートに形成されている貫通した穴に通されたものであり、該穴の周囲のプラスチックシートは融着されている請求項１記載の荷札型情報記録媒体。
【請求項４】
前記袋状に融着された２枚以上のプラスチックシートに設けられた留め具の周囲、或いは前記袋状に融着されたプラスチックシートに形成された長尺体を通すための貫通孔の周囲であって、該プラスチックシートによる袋の内側又は外側に、長尺体の引張により発生する応力を緩和するための芯材が挿入されている請求項１、２又は３記載の荷札型情報記録媒体。
【請求項５】
前記アンテナは、プラスチック基板に積層された導電性金属箔をエッチングして形成されたものである請求項１乃至４の何れか１項記載の荷札型情報記録媒体。
【請求項６】
前記アンテナは、プラスチック基板或いはプラスチックシートに導電性ペーストが印刷されて形成されたものである請求項１乃至４の何れか１項記載の荷札型情報記録媒体。
【請求項７】
前記プラスチックシートは厚みが０．０５〜０．３ｍｍである請求項１乃至６の何れか１項記載の荷札型情報記録体。
【請求項８】
前記プラスチック基板は厚みが０．０２〜０．０５ｍｍである請求項５又は６記載の荷札型情報記録体。
【請求項９】
前記ＩＣチップは、前記長尺体をリング状に留めたときに、リングの内側に位置している請求項１乃至８の何れか１項記載の荷札型情報記録媒体。
【請求項１０】
前記ＩＣチップは、ＩＣチップの厚み以上の厚みを有する囲いの内側に配置されている請求項１乃至９の何れか１項記載の荷札型情報記録媒体。
【請求項１１】
前記ＩＣチップはプラスチック基板上に配置され、樹脂により封止されている請求項１乃至１０の何れか１項記載の荷札型情報記録媒体。
【請求項１２】
前記２枚以上のプラスチックシートからなる袋状のプラスチックシートの内側の少なくとも一方には、緩衝材シートが積層されている請求項１乃至１１の何れか１項記載の荷札型情報記録媒体。
【請求項１３】
前記ＩＣチップ及びアンテナを内包する袋状のプラスチックシートの形状は、四角形の角部にアールが形成されたものである請求項１乃至１２の何れか１項記載の荷札型情報記録媒体。
【請求項１４】
前記プラスチックシートは、テレフタル酸−シクロヘキサンジメタノール−エチレングリコール共重合体、ポリ塩化ビニル、塩化ビニル−酢酸ビニル共重合体、オレフィン−酢酸ビニル共重合体、ポリカーボネート、ポリアミド、ポリイミド、セルロースジアセテート、セルローストリアセテート、ポリスチレン、ＡＢＳ樹脂、ポリアクリル酸エステル、ポリプロピレン、ポリエチレン、ポリウレタン、ラテックス、天然ゴム、合成ゴム、ポリエステル、ポリエチレンテレフタレート、ポリエチレンナフタレートの１層又は積層シートである請求項１乃至１３の何れか１項記載の荷札型情報記録媒体。
【発明の詳細な説明】
【技術分野】
【０００１】
運送、工場工程管理、流通分野における荷物、ケースに取り付けられる自動振り分けが可能な荷札型情報記録媒体に関し、特に、航空手荷物等の航空貨物輸送分野における、荷物の自動振り分けが可能な荷札型情報記録媒体に関する。
【背景技術】
【０００２】
航空貨物輸送分野においては、手荷物の紛失の防止が求められており、また、航空ターミナルにおいては、手荷物の迅速な振り分けを行うために、精度の高い手荷物の自動振り分けが求められている。
【０００３】
従来、上記のような要求に答えるためにバーコードが印刷された帯状タグにより、出発空港からの飛行便、到着先の空港等の情報が記録され、手荷物にリング状に取り付けられて、搬送ラインで搬送され、搬送ラインに設けられたバーコードリーダーにより、個々の手荷物の情報が自動的に読み取られ、仕分けが行われている。しかしながら、バーコードリーダーでの自動読み取りの認識率は７０％程度と言われており、認識されないものは人手により仕分けしなければならないという問題点があるため、タグ情報の自動読み取りの認識率の向上が求められている。
【０００４】
また、バーコード方式のタグは出発空港のチェックインカウンタにおいて、タグに情報が印刷されて発行され、手荷物に取り付けられるが、一旦発行されたタグには、新たなデータの追加書込み、或いは情報の変更は実質上不可能である。また、バーコードによるタグは、通常、片道の情報しか記録されず、往復の情報は記録されない。また、バーコードでは利用可能なデータ桁数は１０バイト程度と低いため、情報の記録が非常に少ない。例えば、宅配業者の輸送を含めた情報を記録したタグを手荷物に添付し、自宅と旅行地間の往復を手荷物を配送するサービス等が検討されているが、従来のバーコードを印刷したタグでは対応が困難である。
【０００５】
タグ情報の自動認識率を高め、情報の追加書込みが可能で、情報量が多いタグの提案として、バーコードが印刷された帯状タグの一部にコイル状のアンテナとＩＣチップを搭載した帯状タグ、或いはリジッドなクレジットカードタイプのカードにアンテナとＩＣチップを搭載したカード型タグが提案されている（非特許文献１）。
【０００６】
また、特許文献１には、シート状の表面基材の裏面に、金属ペーストを印刷してアンテナ回路パターンを形成し、該アンテナ回路パターンの両端に接続されたＩＣが、保護シートとしての剥離シートと前記表面基材との間に挟み込まれるように粘着剤で接着してなるタグが示されている。
【０００７】
アンテナとＩＣチップを搭載したこれらのタグは、旅客の航空手荷物に取り付けられ、仕分けして搬送するための必要な情報が該タグに無線電波により書き込まれる。
【特許文献１】特開２００２−３６２７３０号公報
【非特許文献１】バーコード  ２００２年１０巻１０−１３頁（日本工業出版株式会社発行）
【発明の開示】
【発明が解決しようとする課題】
【０００８】
非特許文献１の帯状タグでは、紙等を使用したシートであるため脆弱であり、バーコードの認識率を上げ、情報量を増やすために、幅の広い、長い帯が必要であるにもかかわらず、情報量が少ないといった問題や、さらに、前記帯状タグにコイル状のアンテナとＩＣチップを搭載したものでは、上層フィルムと下層フィルムの間に粘着剤でアンテナとＩＣチップを搭載したフィルムが挟み込まれたものであるので、ＩＣチップの封止が不十分であり、ＩＣチップの耐久性、信頼性に問題がある。
【０００９】
非特許文献１のカード型タグは、リジッドで剛直な性質であるため、荷物相互の接触や搬送トラブル等によりタグが割れたり、欠けたりする等の破損が生じ易いという問題がある。
【００１０】
特許文献１のタグは、アンテナとＩＣチップが表面基材と剥離シートの間に接着剤で接着されたものであるので、ＩＣチップは不完全な封止となっており、水分やガスの侵入等を防止することが困難であるため、耐久性、信頼性に問題がある。
【００１１】
そこで本発明は、読み取り、書き換え機能を有する荷札型情報記録媒体であって、１８０度程度に折り曲げても形状がほぼ元の状態に復元して戻り、航空ターミナル等における、手荷物の取扱に伴う機械的な衝撃に強く、しかも、内蔵されているアンテナ及びＩＣチップは外部から密閉されて保存されており、水分、ガスの侵入の問題のない荷札型情報記録媒体を提供することを目的とする。
【課題を解決するための手段】
【００１２】
前記した問題点を解決する本発明の荷札型情報記録媒体は、無線により情報を読み出し、又は、読み出しと書込みが可能な荷札型情報記録媒体であって、情報を記録するＩＣチップと、該ＩＣチップと接続して無線を行う導電性アンテナを有し、該ＩＣチップとアンテナが２枚以上のプラスチックシートの間に挟まれ、該２枚以上のプラスチックシートの周縁部は、該ＩＣチップとアンテナを密封するように袋状に融着されており、該ＩＣチップとアンテナを密封した状態のプラスチックシートは折り曲げられても、復元可能な程度に柔軟な性質を有し、該袋状に融着されたプラスチックシートは、荷札型情報記録媒体を荷物に取り付けるための、リング状に留めることができる長尺体を有し、該長尺体及び／又はプラスチックシートには、該長尺体をリング状に留めるための留め具を有することを特徴とする。
【００１３】
本発明において密封とは、水分、ガスの出入りができない状態に封じた状態をいう。
【発明の効果】
【００１４】
本発明の荷札型情報記録媒体は、２枚以上のプラスチックシートの間にＩＣチップとアンテナを挟み密封するように２枚以上のプラスチックシートの周縁部を融着して袋状に形成しているので、ＩＣチップとアンテナは、外部から侵入する水分やガスの侵入を防止することができるため、性能を安定して保つことができる。
【００１５】
ＩＣチップとアンテナを密封した状態の袋状プラスチックシートからなる本発明の荷札型情報記録媒体は、折り曲げても、復元可能な程度に柔軟な性質を有するため、航空ターミナル等における、手荷物の取扱に伴う機械的衝撃をうけても、破損することを防止できる。
【発明を実施するための最良の形態】
【００１６】
図１は本発明の荷札型情報記録媒体の望ましい実施の態様の１例を示す平面図である。１はプラスチックシートであり、２枚以上のプラスチックシート１でＩＣチップとアンテナを挟んで、プラスチックシート１の周縁部を融着して閉鎖された袋状の密封状態としている。２はプラスチックシート１と一体的に成形されている長尺体であり、該長尺体の端部に設けた留め具３−２と袋状のプラスチックシート１に設けた留め具３−１とを係合して、リング状に形成することができ、手荷物の取っ手等の穴に鎖状に嵌めて用いられる。留め具３−１、３−２は、手荷物と荷札型情報記録媒体とのすり替えができないようにしてセキュリティーを高める目的のためには、留め具３−１、３−２をはめ殺し状態とすることができるものを使用することによって、脱着ができないようにすることが望ましい。
【００１７】
２枚以上のプチスチックシート１の周縁部、長尺体２の周縁部、及び留め具３−１、３−２の周囲は、融着されている。１枚のプラスチックシート１の厚みは、０．０５〜０．３ｍｍであることが、袋状プラスチックシート１を折り曲げた場合に復元可能な程度に柔軟な性質を示すために好ましい。
【００１８】
融着されたプラスチックシートの形状は、一般的には方形であるが、円、三角形、或いは多角形の何れでもよく、方形、三角形、多角形である場合には角部は、アール形状とすることにより、角部が他の物品に引っかかり難くすることが望ましい。
【００１９】
図２は、図１のＢ…Ｂ’で示される位置における断面を示した図であり、２枚のプラスチックシート１−１、１−２の間に通信回路１０が密封されており、特に、該通信回路１０は、プラスチック基板４上に渦巻きコイル状のアンテナ５が形成され、該アンテナ５の両端部にＩＣチップ６が結合された状態を示す。ＩＣチップ６は全体が封止樹脂により封止されていることが、ＩＣチップ６の保護、防湿、絶縁のために望ましい。アンテナ５は、プラスチック基板４上に積層された導電性金属膜をエッチング法によりパターンを形成して得ることができる。或いは、プラスチック基板４上に、又はプラスチック基板４を用いずにプラスチックシート１−１又は１−２上に導電性ペーストでパターン状に印刷法により形成してもよい。プラスチック基板４の厚みは、０．０２〜０．０５ｍｍであることが、プラスチックシートを１８０度程度にまで折り曲げた場合にも復元可能な程度に柔軟な性質を示すために望ましい。プラスチック基板４の材質は、例えば、ポリエチレンテレフタレート、ポリエチレンナフタレート、ポリイミドが望ましい。
【００２０】
図３は、図１の荷札型情報記録媒体の長尺体２に設けられた留め具３−２がプラスチックシート１に設けられた留め具３−１に係合している状態の断面図であり、長尺体２はリング状となる。
【００２１】
図４は図１とは別の形態の荷札型情報記録媒体を示す平面図であり、図５は、図４の長手方向の断面図である。図４、図５において、ＩＣチップとアンテナを挟んでいる２枚以上のプラスチックシート１に、貫通穴７が形成され、長尺体２が貫通孔７に挿入され、該長尺体２が留め具３−３によりリング状に留められた状態を示す。貫通孔７の周囲のプラスチックシート１は融着されており、外部から水分、ガス等が侵入しないように封じられている。
【００２２】
図６は、図１の形態の荷札型情報記録媒体において、長尺体２が留め具３−１、３−２の係合によりリング状に留められたときに、ＩＣチップ６が該リングの内側に配されるようにしたものである。便宜のために、ＩＣチップ６及びアンテナ５からなる通信回路１０を透視状態で図示している。ＩＣチップ６がリングの内側に配されることにより、ＩＣチップ６に加えられる外部からの衝撃を緩和することができる。
【００２３】
図７は、貫通孔７を有する荷札型情報記録媒体において、貫通孔７周辺部位に芯材８を配したものを示し、貫通孔７周辺部位には長尺体２からの引張応力がかかるため、該部位を補強するため貫通孔７周辺部位に強度のある芯材８を配置することにより、引張応力を緩和することができる。プラスチックシート１からなる袋の内側又は外側に芯材８を設けることができる。芯材８は、図１の形態の留め具３−１の周囲にも図７と同様に補強のために強度のある芯材８を配置することが望ましい。
【００２４】
図８は、ＩＣチップ６及びアンテナ５からなる通信回路１０に対して外部からの機械的衝撃を緩和するために、プラスチックシート１−１、１−２の内側に機械的衝撃を緩和する材料からなる緩衝材シート９−１、９−２を積層して形成した荷札型情報記録媒体を示し、内部に図２と同様な通信回路１０が挿入されている。
緩衝材シートの材質には、例えば、ウレタン樹脂、合成ゴム、天然ゴムが望ましい。
【００２５】
プラスチックシートの材質：
本発明の荷札型情報記録媒体に使用されるプラスチックシートの材質には、テレフタル酸−シクロヘキサンジメタノール−エチレングリコール共重合体、ポリ塩化ビニル、塩化ビニル−酢酸ビニル共重合体、オレフィン−酢酸ビニル共重合体、ポリカーボネート、ポリアミド、ポリイミド、セルロースジアセテート、セルローストリアセテート、ポリスチレン、ＡＢＳ樹脂、ポリアクリル酸エステル、ポリプロピレン、ポリエチレン、ポリウレタン、ラテックス、天然ゴム、合成ゴム、ポリエステル、ポリエチレンテレフタレート、ポリエチレンナフタレートが使用され、プラスチックシートはこれらの単体のシートであっても複合された積層シートであってもよい。これらのポリマーからモノマーが溶出しないもの、あるいは添加剤が溶出しないものが、ＩＣチップや金属部分の腐食防止のために望ましい。
【００２６】
図９は、ＩＣチップ６の厚み以上の厚みを有する囲い１１をプラスチックシート１−１、１−２の間に設け、該囲い１１の内側に、ＩＣチップ６を配置することにより、ＩＣチップ６を保護した荷札型情報記録媒体の態様である。囲い１１の材質は、絶縁性の物質であれば、どのような材料でもよく、例えば、プラスチックが好適である。
【産業上の利用可能性】
【００２７】
運送、工場工程管理、流通分野における荷物、ケースに取り付けられる自動振り分けが可能なＩＣチップとアンテナからなる通信回路を有する荷札型情報記録媒体であり、特に、航空手荷物等の航空貨物輸送分野における、荷物の自動振り分けが可能な、機械的衝撃に対して保護された通信回路を有する荷札型情報記録媒体として有用である。
【図面の簡単な説明】
【００２８】
【図１】本発明の荷札型情報記録媒体の望ましい実施の態様の１例を示す平面図である。
【図２】図１のＢ…Ｂ’で示される位置における断面を示した図である。
【図３】図１の荷札型情報記録媒体の長尺体に設けられた留め具がプラスチックシートに設けられた留め具に係合している状態の断面図である。
【図４】図１とは別の形態の荷札型情報記録媒体を示す平面図である。
【図５】図４の長手方向の断面図である。
【図６】図１の形態の荷札型情報記録媒体において、長尺体が留め具の係合によりリング状に留めたときに、ＩＣチップが該リングの内側に配されるようにした状態を示す図である。
【図７】図４の形態の貫通孔を有する荷札型情報記録媒体において、貫通孔周辺部位に芯材を配したものを示す図である。
【図８】ＩＣチップ及びアンテナからなる通信回路に対して外部からの機械的衝撃を緩和するために、プラスチックシートの内側に機械的衝撃を緩和する材料からなる緩衝材シートを積層して形成した荷札型情報記録媒体を示す図である。
【図９】ＩＣチップの厚み以上の厚みを有する囲いをプラスチックシートの間に設け、該囲いの内側に、ＩＣチップを配置することにより、ＩＣチップを保護した荷札型情報記録媒体を示す図である。
【符号の説明】
【００２９】
１、１−１、１−２  プラスチックシート
２    長尺体
３−１、３−２、３−３  留め具
４    プラスチック基板
５    アンテナ
６    ＩＣチップ
７    貫通穴
８    芯材
９−１、９−２  緩衝材シート
１０    通信回路
１１    囲い
【図１】
2005157780.tif 000003
【図２】
2005157780.tif 000004
【図３】
2005157780.tif 000005
【図４】
2005157780.tif 000006
【図５】
2005157780.tif 000007
【図６】
2005157780.tif 000008
【図７】
2005157780.tif 000009
【図８】
2005157780.tif 000010
【図９】
2005157780.tif 000011